(57)【要約】【課題】  同時に呼び出しできるナースコール子機の数が通話回線数に制限されないナースコールシステムを提供する。【解決手段】  ナースコール子機１と、ナースコール親機３と、ナースコール子機１とナースコール親機３との間の呼び出し及び通話を制御する制御機４とを有し、同一の制御機４に制御されるナースコール親機３を複数具備すると共に、ナースコール子機１とナースコール親機３の間の通話回線を複数回線具備し、制御機ＣＰＵ４５はナースコール子機１による呼出操作を受けてナースコール親機３が応答操作されたら、通話回線の内の１回線を確保してナースコール子機１とナースコール親機３との間の通話路を形成し、ナースコール子機１が呼出操作された時点で通話回線に空きが無い場合は、呼出信号の送信を保留として通知灯点灯信号を送信して通話回線の空きを待ち、空きが発生したら保留を解除して呼出信号を送信する。【選択図】  図１
2014165533.tif 000002
【特許請求の範囲】
【請求項１】
ベッド毎に設置されて患者が看護師を呼び出すための複数のナースコール子機と、ナースステーションに設置されて前記ナースコール子機からの呼び出しに応答するためのナースコール親機と、前記ナースコール子機と前記ナースコール親機との間の呼び出し及び通話を制御する制御機とを有するナースコールシステムにおいて、
同一の前記制御機に制御される前記ナースコール親機を複数具備すると共に、前記ナースコール子機と前記ナースコール親機の間の通話回線を複数回線具備し、
前記制御機は、前記ナースコール子機による呼び出しを受けて前記ナースコール親機が応答操作されたら、前記通話回線の内の１回線を確保して前記ナースコール子機と前記ナースコール親機との間の通話路を形成する通話路制御部を有することを特徴とするナースコールシステム。
【請求項２】
前記通話路制御部は、前記ナースコール子機が呼出操作された時点で通話回線に空きが無い場合、ナースコール親機に対する呼出信号の送信を保留として通話回線の空きを待ち、空きが発生したら保留を解除して呼出信号を送信することを特徴とする請求項１記載のナースコールシステム。
【請求項３】
前記通話路制御部は、呼出信号が保留状態にあっても、前記ナースコール子機では呼出確認音を報音させることを特徴とする請求項２記載のナースコールシステム。
【請求項４】
前記通話路制御部は、同一の前記ナースコール親機に対する呼出信号の保留が複数ある場合は、通話回線の空き発生を受けて保留している呼出信号を呼出操作した順に送信することを特徴とする請求項２又は３記載のナースコールシステム。
【請求項５】
前記ナースコール親機は、各患者の患者情報を一覧表示するボード部を有し、
前記ボード部に表示された個々の患者情報表示部には、前記ナースコール子機の呼出操作を受けて発光する通知灯が設けられ、
前記通話路制御部は、前記ナースコール子機が呼出操作された時点で通話回線に空きが無い場合に、通知灯点灯信号を前記ナースコール親機に送信して、呼出操作されたナースコール子機に関連する患者の前記通知灯を点灯させることを特徴とする請求項１乃至４の何れかに記載のナースコールシステム。
【発明の詳細な説明】
【技術分野】
【０００１】
本発明はナースコールシステムに関し、詳しくはナースコールシステムの呼出／応答制御に関する。
【背景技術】
【０００２】
ナースコールシステムは、呼出操作するナースコール子機と応答操作するナースコール親機とを備え、患者がナースコール子機を呼出操作すると、ナースコール親機において呼出音が鳴動し、看護師が応答操作すると両者の間で通話路が形成されて通話を実施できる。
このような従来のナースコールシステムでは、ナースコール子機による呼び出しが成されたら、その時点で通話路を確保する制御が行われ、応答操作されたら確保していた通話路を使用して通話を行っていた（例えば、特許文献１参照）。
【先行技術文献】
【特許文献】
【０００３】
【特許文献１】特開２００６−２５３９５４号公報
【発明の概要】
【発明が解決しようとする課題】
【０００４】
上述したように、従来のナースコールシステムでは、通話路を確保してから呼出信号を送信したため、複数の通話回線を備えていても呼び出しが通話回線の数だけ重なって発生すると、その時点で通話回線が塞がっていた。そのため、通話回線が実際に使用されていなくても、新たな呼び出しができない状況が発生し易く、緊急の呼び出しが発生してもその通知ができない場合があった。
一方で、ナースコールシステムの場合、電話とは異なり患者からの呼び出しに対してナースコール親機等で応答すること無く、直接患者の元へ看護師が出かけて処置する場合も多く、そのような場合は呼出時に通話回線を確保しても応答操作されないため無駄な制御となっていた。
【０００５】
そこで、本発明はこのような問題点に鑑み、同時に呼び出しできるナースコール子機の数が通話回線数に制限されないナースコールシステムを提供することを目的としている。
【課題を解決するための手段】
【０００６】
上記課題を解決する為に、請求項１の発明は、ベッド毎に設置されて患者が看護師を呼び出すための複数のナースコール子機と、ナースステーションに設置されてナースコール子機からの呼び出しに応答するためのナースコール親機と、ナースコール子機とナースコール親機との間の呼び出し及び通話を制御する制御機とを有するナースコールシステムにおいて、同一の制御機に制御されるナースコール親機を複数具備すると共に、ナースコール子機とナースコール親機の間の通話回線を複数回線具備し、制御機は、ナースコール子機による呼び出しを受けてナースコール親機が応答操作されたら、通話回線の内の１回線を確保してナースコール子機とナースコール親機との間の通話路を形成する通話路制御部を有することを特徴とするナースコールシステム。
この構成によれば、応答操作を受けて通話回線を確保し、呼び出しを受けた時点では通話回線を確保しないことにより、呼び出しだけで通話回線が塞がってしまう事態を防ぐことができる。よって、ナースコール子機による呼び出しが重なって発生しても、呼出数自体が通話回線数に制限されることがなくなり、スムーズな呼び出しを実現できる。
【０００７】
請求項２の発明は、請求項１に記載の構成において、通話路制御部は、ナースコール子機が呼出操作された時点で通話回線に空きが無い場合、ナースコール親機に対する呼出信号の送信を保留として通話回線の空きを待ち、空きが発生したら保留を解除して呼出信号を送信することを特徴とする。
この構成によれば、呼出操作した時点でナースコール親機で呼び出しが報音されなくても、通話回線が空き次第呼出音が報音されるため、患者のナースコール子機操作が無効になる事が無い。
【０００８】
請求項３の発明は、請求項２に記載の構成において、通話路制御部は、呼出信号が保留状態にあっても、ナースコール子機では呼出確認音を報音させることを特徴とする。
この構成によれば、ナースコール子機が呼出操作されたにも関わらず、呼出信号が保留されてナースコール親機で呼出音が報音されなくても、ナースコール子機では呼出確認音が報音されるため、患者が不安を抱くようなことがない。
【０００９】
請求項４の発明は、請求項２又は３に記載の構成において、通話路制御部は、同一のナースコール親機に対する呼出信号の保留が複数ある場合は、通話回線の空き発生を受けて保留している呼出信号を呼出操作した順に送信することを特徴とする。
この構成によれば、呼出操作した順に呼出報音が実施されるため、先に呼出操作した患者が長く待たされるような事態の発生を防止できる。
【００１０】
請求項５の発明は、請求項１乃至４の何れかに記載の構成において、ナースコール親機は、各患者の患者情報を一覧表示するボード部を有し、ボード部に表示された個々の患者情報表示部には、ナースコール子機の呼出操作を受けて発光する通知灯が設けられ、通話路制御部は、ナースコール子機が呼出操作された時点で通話回線に空きが無い場合に、通知灯点灯信号をナースコール親機に送信して、呼出操作されたナースコール子機に関連する患者の通知灯を点灯させることを特徴とする。
この構成によれば、呼び出しが保留状態にあっても通知灯が点灯するため、看護師は応答待ちの呼び出しがあることを認識できる。しかも、患者情報表示部の情報から応答待ちの患者が誰か把握できるため、対処し易い。
【発明の効果】
【００１１】
本発明によれば、応答操作を受けて通話回線を確保し、呼び出しを受けた時点では通話回線を確保しないことにより、呼び出しだけで通話回線が塞がってしまう事態を防ぐことができる。よって、ナースコール子機による呼び出しが重なって発生しても、呼出数自体が通話罫線数に制限されることがなくなり、スムーズな呼び出しを実現できる。
【図面の簡単な説明】
【００１２】
【図１】本発明に係るナースコールシステムの一例を示す構成図である。
【図２】ナースコール親機の要部回路ブロック図である。
【図３】制御機の要部回路ブロック図である。
【発明を実施するための形態】
【００１３】
以下、本発明を具体化した実施の形態を、図面を参照して詳細に説明する。図１は本発明に係るナースコールシステムの構成図であり、１はベッド毎に設置されて患者が看護師を呼び出して通話するためのナースコール子機、２は各病室の出入口に設置されて患者からの呼出発生を報知する表示灯２ａと液晶ディスプレイから成る患者名表示部２ｂとを備えた廊下灯、３はナースステーションに設置されて患者からの呼び出しを報知し、応答するためのナースコール親機、４はナースコール子機１とナースコール親機３との間の通信を制御する制御機である。
ナースコール親機３は、第１ナースコール親機３ａ〜第３ナースコール親機３ｃの３台が設置され、これらが１台の制御機４により制御される構成となっている。
【００１４】
廊下灯２、ナースコール親機３、制御機４等はそれぞれＨＵＢ１０を介してＬＡＮ接続され、ナースコール子機１は病室毎に廊下灯２に伝送線Ｌ１を介して接続されている。この廊下灯２、ナースコール親機３、制御機４の間の通信を実施するＬＡＮ回線は、ナースコールシステム専用に構築され、通信回線と複数の通話回線（ここでは通話回線数を「２」として説明する）とを備えている。
【００１５】
ナースコール子機１は、呼出ボタン１ａと、壁面に設置されて呼出ボタン１ａの接続部及び患者が看護師と通話するためのマイク１１及びスピーカ１２を有する通話部を備えたプレート子機１ｂとを有している。
【００１６】
ナースコール親機３は、患者と通話するためのハンドセット３１ａや報音部３１ｂを備えた通話部３１、各種情報を表示する表示部３２、個々の患者の患者情報表示部Ｍが一覧表示されたボード部３３等を備えている。そして、図２の要部回路ブロック図に示すように、ナースコール親機３は表示部３２の表示を制御する表示処理部３５、表示部３２に組み付けられた操作部としてのタッチパネル３２ａ、患者情報表示部Ｍ内において呼出発生を発光通知する通知灯３６、看護師情報等を記憶する記憶部３７、ナースコール親機３全体を制御する親機ＣＰＵ３８、通話部３１で報音する報知音或いは通話部３１から入力される音声信号を処理する音声処理部３９、他のナースコール機器とＨＵＢ１０を介してＬＡＮ接続するための通信ＩＦ４０等を備えている。
【００１７】
図３は制御機４の要部回路ブロック図を示し、図３に示すように個々の患者の担当看護師情報を記憶する担当情報記憶部４１、ナースコール親機毎の看護師チームを記憶するチーム記憶部４２、患者とナースコール子機１との関係や担当医師や救護区分等の患者情報を記憶する患者情報記憶部４３、勤務帯情報等を記憶する情報記憶部４４、機器間の通信を制御すると共に制御機全体を制御する制御機ＣＰＵ４５、他のナースコール機器とＨＵＢ１０を介してＬＡＮ接続する通信ＩＦ４６等を備えている。
【００１８】
上記の如く構成されたナースコールシステムの動作を次に説明する。最初に呼出／応答の基本動作を説明する。
ナースコール子機１の呼出ボタン１ａが押下されて呼出操作されると、ナースコール子機１から廊下灯２へ呼出信号が送出される。呼出信号を受信した廊下灯２は、表示灯２ａを点灯して呼出発生を報知すると共に、患者名表示部２ｂに呼出元の患者情報を表示する。そして、病室番号及びベッド番号（子機番号）から成る呼出元情報が呼出信号に添付されて制御機４に送信される。
【００１９】
廊下灯２から呼出信号を受信した制御機４は、呼出信号に添付されている呼出元情報を基に患者情報記憶部４３等から患者情報を入手し、呼出元呼出信号に更に患者情報を添付してナースコール親機３へ送信する。このとき、呼出元情報から呼出信号送信先のナースコール親機３が選択され、選択されたナースコール親機３に対して送信される。
【００２０】
制御機４から呼出信号を受信したナースコール親機３は、呼出発生を報音通知すると共に、呼出信号に添付されている呼出元情報及び患者情報に基づいて表示部３２に患者氏名等の患者情報を表示する。
ナースコール親機３の呼出動作により、患者からの呼出発生を認識した看護師が通話部３１を応答操作すると、応答信号が制御機４に送信される。応答信号を受信した制御機ＣＰＵ４５は、ナースコール親機３と呼出元のナースコール子機１との間の通話回線を確保すると共に通話路を形成（接続）する。こうして、ナースコール親機３の通話部３１と、ナースコール子機１のプレート子機１ｂの通話部との間で通話が可能となり、看護師は呼出元の患者と通話を実施できる。
その後、通話が終了してナースコール親機３において終話操作されると、終話信号が制御機４に送信され、終話信号を受けた制御機ＣＰＵ４５が通話路を遮断して待受状態に戻る。
【００２１】
次に、通話回線数を超える多数の呼び出しが重なって発生した場合を説明する。通話回線数である２を超える３人以上の患者から重なって呼び出しが成されると、制御機ＣＰＵ４５の制御により、上述した呼び出しと同様に呼出信号はそれぞれ送信され、呼び出しが実施される。
具体的に、表示部３３には最優先の呼び出し（最初の呼び出し）の情報が表示されるだけであるが、他の患者からの呼び出しが発生したら、制御機ＣＰＵ４５は通話路が塞がっていることを把握し、通知灯点灯信号を呼出先のナースコール親機３に送信する。
この通知灯点灯信号を受信したナースコール親機３は、親機ＣＰＵ３８が通知灯点灯信号から呼出元を認識し、関連する患者情報表示部Ｍの通知灯３６を点灯させる。
尚、この通知灯３６は通話ボタンを兼用しており、通知灯３６を押下操作することで応答することが可能となっている（詳述せず）。
【００２２】
また、同一のナースコール親機３に対して重なって呼び出しが発生した場合、制御機ＣＰＵ４５の制御により、最初の呼出信号のみナースコール親機３に送信され、受信した呼出信号に対してナースコール親機３において報音通知される。
一方、他の呼び出しに対しては、通知灯点灯信号が送信されて通知灯３６が点灯する。そして、呼出信号は保留状態とし、先の呼び出しに対する応答が終了したら、保留中の呼出信号が保留解除され報音通知される。
【００２３】
更に、３台のナースコール親機３に対して同時に呼び出しが発生した場合は、呼出信号が何れも送信される。但し、通話回線数が２であるため、先に応答した２台のナースコール親機３が応答を実施でき、残りの１台のナースコール親機３は、呼出信号が保留状態となる。そして、保留となったナースコール親機３の呼出元の患者情報表示部Ｍの通知灯３６が点灯する。
【００２４】
尚、呼出信号が保留状態となっても、制御機ＣＰＵ４５は呼出元のナースコール子機１に対して呼出確認音を送信して、患者に対して呼出中であることを通知する。また、呼び出しに応答することなく、看護師が直接呼出元の患者の元まで出かけた場合は、ナースコール子機１の復旧ボタン（図示せず）を看護師が操作することで、呼出信号はリセットされてナースコール親機３での呼出の報音は終了する。その結果、保留中の呼出信号がある場合は、その呼出信号がナースコール親機３に送信される。
【００２５】
こうして、空き通話回線があればナースコール子機１による呼び出しを受けて、関連付けられているナースコール親機３に対して呼出信号が送信される。そして、呼出信号を受信したナースコール親機３は呼出音を報音し、応答操作がなされると、通話路が形成される。
その後、呼び出しに順次応答が成されて全ての通話回線が使用中になり、その状態で発生した呼出信号は上述したように通話回線に空きが発生するまで一時的に保留される。但し、保留状態にある患者情報表示部Ｍの通知灯３６は点灯し、呼出元のナースコール子機１に対しては、呼出確認音の報音は上記動作と同様に継続される。
【００２６】
このように、呼び出しを受けた時点では通話回線を確保せず、応答操作を受けてから通話回線を確保することにより、呼び出しだけで通話回線が塞がってしまう事態を防ぐことができる。そのため、ナースコール子機１による呼び出しが重なって発生しても、呼出数自体が通話回線数に制限されることがなくなり、スムーズな呼び出しを実現できる。
また、呼出操作した時点でナースコール親機３で呼び出しが報音されなくても、通話回線が空き次第呼出音が報音されるため、患者のナースコール子機１の操作が無効になる事が無い。
また、ナースコール子機１が呼出操作されたにも関わらず、呼出信号が保留されてナースコール親機３で呼出音が報音されなくても、ナースコール子機１では呼出確認音が報音されるため、患者が不安を抱くようなことがない。
更に、呼出操作した順に呼び出しの報音が実施されるため、先に呼出操作した患者が長く待たされるような事態の発生を防止できる。
また、呼び出しが保留状態にあっても患者情報表示部Ｍに設けられた通知灯３６が点灯するため、看護師は応答待ちの呼び出しがあることを認識できる。然も、患者情報表示部の情報から応答待ちの患者が誰か把握できるため、対処し易い。
【００２７】
尚、上記実施形態では、同一制御機４が制御するナースコール親機３を３台としているが、２台以上の複数のナースコール親機３を制御機４が制御するシステムに対して本発明は好適に適用できる。また、通話回線数を２として説明したが、通話回線数は任意である。また、患者からの呼び出しに応答するために看護師が携行する携帯端末を備えたシステムにおいても同様に通話路形成制御を実施でき、保留状態の呼出信号がある場合、通話路の空き発生を受けて保留が解除されて呼出信号が携帯端末に送信される。
【符号の説明】
【００２８】
１・・ナースコール子機、３・・ナースコール親機、４・・制御機、３１・・通話部、３６・・通知灯、３８・・親機ＣＰＵ、４５・・制御機ＣＰＵ（通話路制御部）、Ｍ・・患者情報表示部。
【図１】
2014165533.tif 000003
【図２】
2014165533.tif 000004
【図３】
2014165533.tif 000005